【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
画像が印刷されたシートのコーナーを綴じることができる画像形成装置であって、
画像をシートに印刷する印刷手段と、
複数の位置に移動して綴じ処理を実行可能な第１の綴じ部又は綴じ処理を実行可能な位置が１箇所に固定された第２の綴じ部のいずれかを用いて、ユーザによって指定されたコーナーに綴じ処理を実行できるシート綴じ手段と、
シートを反転するための搬送路を介してシートを反転させる反転手段と、
前記第１の綴じ部を用いて所定のコーナーへ綴じ処理を行う場合は、前記反転手段による反転を行っていないシートに対する綴じ処理を実行させ、前記第２の綴じ部を用いて前記所定のコーナーへ綴じ処理を行う場合は、前記反転手段による反転を行ったシートに対する綴じ処理を実行させる制御手段と、
を備え、
前記制御手段は更に、前記印刷手段による画像の印刷に使用するシートが前記反転手段による反転を行うことが許可される種類のシートである場合は、前記第１の綴じ部を用いた綴じ処理の実行を許可し且つ前記第２の綴じ部を用いた綴じ処理の実行を許可し、前記印刷手段による画像の印刷に使用するシートが前記反転手段による反転を行うことが許可されない種類のシートである場合は、前記第１の綴じ部を用いた綴じ処理の実行を許可し、前記第２の綴じ部を用いた綴じ処理の実行を許可しないことを特徴とする画像形成装置。
【請求項２】
印刷処理の設定を受け付ける受付手段を更に備え、
前記制御手段は、前記受付手段が印刷処理の設定を受け付ける際に、前記印刷処理に対して前記第２の綴じ部を用いた綴じ処理を行うことが予め指定されている場合は、前記印刷処理で使用するシートとして前記反転手段による反転を行うことが許可されない種類のシートが指定されないように前記受付手段を制御することを特徴とする請求項１に記載の画像形成装置。
【請求項３】
印刷処理の設定を受け付ける受付手段を更に備え、
前記制御手段は、前記受付手段が印刷処理の設定を受け付ける際に、前記印刷処理に対して前記反転手段による反転を行うことが許可されない種類のシートに画像を印刷することが予め指定されている場合は、前記第２の綴じ部を用いた綴じ処理が指定されないように前記受付手段を制御することを特徴とする請求項１に記載の画像形成装置。
【請求項４】
前記制御手段は、前記反転手段による反転を行うことなく前記第２の綴じ部を用いた綴じ処理を実行できるコーナーが指定されている場合は、前記印刷手段による画像の印刷に使用するシートが前記反転手段による反転を行うことが許可されない種類のシートであっても、前記第２の綴じ部を用いた綴じ処理の実行を許可することを特徴とする請求項１に記載の画像形成装置。
【請求項５】
印刷処理の設定を受け付ける受付手段を更に備え、
前記受付手段は、当該印刷処理に設定された綴じ設定の内容に応じて当該印刷処理に使用できるシートを制限することを特徴とする請求項４に記載の画像形成装置。
【請求項６】
印刷処理の設定を受け付ける受付手段を更に備え、
前記制御手段は、前記受付手段が印刷処理の設定を受け付ける際に、前記印刷処理に対して前記第２の綴じ部を用いた綴じ処理を行うことが予め指定され、且つ、前記反転手段による反転を行うことが許可されない種類のシートに画像を印刷することが予め指定されている場合は、前記反転手段による反転を行うことで前記第２の綴じ部を用いた綴じ処理を実行できるコーナーが指定されないように、前記受付手段を制御することを特徴とする請求項４に記載の画像形成装置。
【請求項７】
前記制御手段は、前記印刷手段により画像をシートの両面に印刷する場合であって、当該印刷に使用するシートが前記反転手段による反転を行うことが許可されない種類のシートの場合は、前記印刷手段による印刷処理をキャンセルすることを特徴とする請求項１乃至６のいずれか１項に記載の画像形成装置。
【請求項８】
外部装置から印刷データを受信する受信手段を更に備え、
前記制御手段は、前記受信した印刷データに基づく印刷を行う場合に、当該印刷データの設定として、前記反転手段による反転を行うことが許可されない種類のシートを印刷に使用することが指定され、且つ、前記第２の綴じ部を用いた綴じ処理を行うことが指定されている場合は、前記受信した印刷データに基づく画像の印刷をキャンセルすることを特徴とする請求項１乃至７のいずれか１項に記載の画像形成装置。
【請求項９】
画像をシートに印刷する印刷手段と、
複数の位置に移動して綴じ処理を実行可能な第１の綴じ部と、第２の綴じ部のいずれかの綴じ部を用いて、前記印刷手段によって印刷されたシートの、ユーザによって指定されたコーナーに綴じ処理を実行できるシート綴じ手段と、
シートを反転するための搬送路を介してシートを反転させる反転手段と、
前記印刷手段によって片面だけに印刷されたシートの所定のコーナーに前記第１の綴じ部を用いて綴じ処理を行う場合は、前記反転手段による反転を行っていないシートに対して綴じ処理を実行させ、前記印刷手段によって片面だけに印刷されたシートの前記所定のコーナーに前記第２の綴じ部を用いて綴じ処理を行う場合は、前記反転手段による反転を行ったシートに対して綴じ処理を実行させる制御手段と、を備え、
前記制御手段は更に、前記印刷手段による画像の印刷に使用するシートが前記反転手段による反転を行うことが許可される種類のシートである場合は、前記印刷手段によって片面だけに印刷されたシートの前記所定のコーナーに前記第１の綴じ部を用いて綴じ処理を行うことと前記第２の綴じ部を用いて綴じ処理を行うことを許可し、前記印刷手段による画像の印刷に使用するシートが前記反転手段による反転を行うことが許可されない種類のシートである場合は、前記印刷手段によって片面だけに印刷されたシートの前記所定のコーナーに前記第１の綴じ部を用いて綴じ処理を行うことを許可し、前記印刷手段によって片面だけに印刷されたシートの前記所定のコーナーに前記第２の綴じ部を用いて綴じ処理を行うことを許可しないことを特徴とする画像形成装置。
【請求項１０】
画像が印刷されたシートのコーナーを綴じることができる画像形成装置の制御方法であって、
画像をシートに印刷する印刷工程と、
複数の位置に移動して綴じ処理を実行可能な第１の綴じ部又は綴じ処理を実行可能な位置が１箇所に固定された第２の綴じ部のいずれかを用いて、ユーザによって指定されたコーナーに綴じ処理を実行するシート綴じ工程と、
シートを反転するための搬送路を介してシートを反転させる反転工程と、
前記第１の綴じ部を用いて所定のコーナーへ綴じ処理を行わせる場合は、前記反転工程で反転を行っていないシートに対する綴じ処理を実行させ、前記第２の綴じ部を用いて前記所定のコーナーへ綴じ処理を行わせる場合は、前記反転工程で反転を行ったシートに対する綴じ処理を実行させる制御工程と、
を備え、
前記制御工程は更に、前記印刷工程で画像の印刷に使用するシートが前記反転工程で反転を行うことが許可される種類のシートである場合は、前記第１の綴じ部又は第２の綴じ部を用いた綴じ処理の実行を許可し、前記印刷工程で画像の印刷に使用するシートが前記反転工程で反転を行うことが許可されない種類のシートである場合は、前記第１の綴じ部を用いた綴じ処理の実行を許可し、前記第２の綴じ部を用いた綴じ処理の実行を許可しないことを特徴とする画像形成装置の制御方法。
【請求項１１】
請求項１０に記載の画像形成装置の制御方法をコンピュータに実行させるためのプログラム。
【手続補正２】
【補正対象書類名】明細書
【補正対象項目名】００１０
【補正方法】変更
【補正の内容】
【００１０】
上記の目的を達成するために本発明の画像形成装置は、画像が印刷されたシートのコーナーを綴じることができる画像形成装置であって、画像をシートに印刷する印刷手段と、複数の位置に移動して綴じ処理を実行可能な第１の綴じ部又は綴じ処理を実行可能な位置が１箇所に固定された第２の綴じ部のいずれかを用いて、ユーザによって指定されたコーナーに綴じ処理を実行するシート綴じ手段と、シートを反転するための搬送路を介してシートを反転させる反転手段と、前記第１の綴じ部を用いて所定のコーナーへ綴じ処理を行う場合は、前記反転手段による反転を行っていないシートに対する綴じ処理を実行させ、前記第２の綴じ部を用いて前記所定のコーナーへ綴じ処理を行う場合は、前記反転手段による反転を行ったシートに対する綴じ処理を実行させる制御手段と、を備え、
前記制御手段は更に、前記印刷手段による画像の印刷に使用するシートが前記反転手段による反転を行うことが許可される種類のシートである場合は、前記第１の綴じ部又は第２の綴じ部を用いた綴じ処理の実行を許可し、前記印刷手段による画像の印刷に使用するシートが前記反転手段による反転を行うことが許可されない種類のシートである場合は、前記第１の綴じ部を用いた綴じ処理の実行を許可し、前記第２の綴じ部を用いた綴じ処理の実行を許可しないことを特徴とする。